(57)【特許請求の範囲】
【請求項１】
直管形ランプが装着される照明器具であって前記直管形ランプに対向したランプ対向部を備えた照明器具に取り付けられたランプホルダにおいて、
Ｕ字形状に形成され、前記直管形ランプの端部の周囲の一部を囲んだホルダ部と、
前記ランプ対向部に取り付けられた状態で前記ホルダ部のＵ字形状の両側の端部を取り付けたホルダ本体と、
前記ホルダ本体を前記ランプ対向部に固定した第１固定部材と、
前記ホルダ部のＵ字形状の両側の端部の各々を前記ホルダ本体に固定した第２固定部材と
を備え、
前記ホルダ本体は、
前記ランプ対向部に接する取付接部を備え、
前記ホルダ部は、
前記両側の端部の各々からＵ字形状の外側に突き出す固定部を備え、
前記第２固定部材は、ネジであり、
前記取付接部には、前記第２固定部材を貫通させるネジ穴が形成され、
前記固定部には、前記第２固定部材を貫通させる切り欠きが形成され、
前記固定部は、
前記ネジ穴と前記切り欠きと貫通した前記第２固定部材により前記取付接部に固定された状態である
ランプホルダ。
【請求項２】
前記取付接部は、
前記ランプ対向部の前記ホルダ部の側と反対の面に取り付けられ、
前記ホルダ部は、
前記両側の端部のうち一方の端部と前記固定部との境に、前記ランプ対向部に設けられた位置決め孔に挿入される位置決め凸部を備えた請求項１に記載のランプホルダ。
【請求項３】
前記直管形ランプは、端部に口金を備え、
前記照明器具は、前記口金を装着するランプソケットを備え、
前記ホルダ部は、
前記口金の一部を覆った状態で前記ランプソケットに隣接して配置された請求項１または２に記載のランプホルダ。
【請求項４】
請求項１から３のいずれか１項に記載のランプホルダと、
前記ランプ対向部を有する本体カバー部と
を備えた照明器具。
【請求項５】
前記照明器具は、
常用時に前記直管形ランプに電力を供給する常用電源ユニットと、非常時に前記直管形ランプに電力を供給する非常用電源ユニットとが配置された本体フレーム部を備えた請求項４に記載の照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を光源として装着する照明器具、及びこの照明器具に用いられるランプホルダに関する。
【背景技術】
【０００２】
特許文献１には、光源をＬＥＤとし、このＬＥＤを常用時及び非常時に点灯させるための点灯回路を共有化した技術が開示されている。
特許文献２には、非常灯にも適用できる直管形ＬＥＤランプに係る技術が開示されている。
【先行技術文献】
【特許文献】
【０００３】
【特許文献１】特開２０１４−１０２９５６号公報
【特許文献２】特開２０１３−２３５６５５号公報
【発明の概要】
【発明が解決しようとする課題】
【０００４】
非常灯として機能させるための仕様は、建築基準法などに定められる要求仕様に対応しなければならない。非常用照明器具に適用ランプ以外のランプが取り付けられてしまうと、その要求仕様を満たさない。
そこで、適用ランプのみを取り付けることができる非常用照明器具とした場合、適用ランプの口金及びソケットなどが専用品となってしまう。このため、適用ランプ毎に口金及びソケットの種類を準備しなければならず、製造者側にも消費者側にも負担になるという課題がある。
【０００５】
本発明は、専用の口金及びソケットなどを用いることなく、適用ランプ以外のランプを非常灯照明器具に装着してしまうことを防止し、適用ランプを非常灯照明器具に装着することができるランプホルダを提供することを目的とする。
【課題を解決するための手段】
【０００６】
本発明に係るランプホルダは、直管形ランプが装着される照明器具であって前記直管形ランプに対向したランプ対向部を備えた照明器具に取り付けられたランプホルダにおいて、Ｕ字形状に形成され、前記直管形ランプの端部の周囲の一部を囲んだホルダ部と、前記ランプ対向部に取り付けられた状態で前記ホルダ部のＵ字形状の両側の端部を取り付けたホルダ本体と、前記ホルダ本体を前記ランプ対向部に固定した第１固定部材と、前記ホルダ部のＵ字形状の両側の端部の各々を前記ホルダ本体に固定した第２固定部材とを備えた。
【発明の効果】
【０００７】
本発明に係るランプホルダによれば、Ｕ字形状に形成され、直管形ランプの端部の周囲の一部を囲んだホルダ部と、ランプ対向部に取り付けられた状態でホルダ部のＵ字形状の両側の端部を取り付けたホルダ本体と、ホルダ本体をランプ対向部に固定した第１固定部材と、ホルダ部のＵ字形状の両側の端部の各々をホルダ本体に固定した第２固定部材とを備えているので、適用ランプ以外のランプを非常灯照明器具に装着してしまうことを防止することができる。
【図面の簡単な説明】
【０００８】
【図１】実施の形態１に係る照明装置５００を示す斜視図。
【図２】図１の照明装置５００の分解斜視図。
【図３】図２の照明装置５００の分解斜視図。
【図４】実施の形態１に係るホルダ本体１３１を示す斜視図。
【図５】図４のホルダ本体１３１を示す３面図であり、（ａ）はホルダ本体１３１の平面図、（ｂ）は（ａ）のＡ−Ａ断面図、（ｃ）はホルダ本体１３１の側面図。
【図６】実施の形態１に係るホルダ部１３２を示す３面図及び斜視図であり、（ａ）は（ｂ）のＢ−Ｂ断面図、（ｂ）はホルダ部１３２の正面図、（ｃ）はホルダ部１３２の側面図、（ｄ）はホルダ部１３２の斜視図。
【図７】実施の形態１においてホルダ本体１３１を本体カバー部１２０に取り付ける工程を示す斜視図。
【図８】実施の形態１において本体カバー部１２０にホルダ本体１３１を取り付けた状態を示す正面図及び側面図。
【図９】実施の形態１において本体フレーム部１１０に本体カバー部１２０を取り付け、直管形ランプ２００をランプソケット１１２に装着した状態を示す斜視図。
【図１０】実施の形態１においてホルダ部１３２をホルダ本体１３１に取り付けた状態を示す斜視図。
【図１１】ホルダ部１３２をホルダ本体１３１に取り付けた状態の照明装置５００における図８のＣ−Ｃ断面図。
【図１２】実施の形態２に係る照明装置５００ａを示す斜視図。
【図１３】図１２の照明装置５００ａの分解斜視図。
【図１４】実施の形態２に係る本体カバー部１２０ａを示す図であり、（ａ）は側面図、（ｂ）は本体フレーム部１１０の側、すなわち天井などの被取付材の側から見た平面図。
【図１５】実施の形態２に係るホルダ部１５２を示す３面図及び斜視図であり、（ａ）はホルダ部１５２の平面図、（ｂ）はホルダ部１５２の側面図、（ｃ）はホルダ部１５２の正面図、（ｄ）はホルダ部１５２の斜視図。
【図１６】実施の形態２に係るホルダ本体１５１を示す図であり、（ａ）はホルダ本体１５１の平面図、（ｂ）はホルダ本体１５１の側面図、（ｃ）はホルダ本体１５１の斜視図、（ｄ）はホルダ本体１５１を本体カバー部１２０に取り付ける工程を示す斜視図。
【図１７】実施の形態２における本体フレーム部１１０ａに本体カバー部１２０ａを取り付け、直管形ランプ２００をランプソケット１１２ａに装着した状態を示す斜視図。
【図１８】実施の形態２における本体フレーム部１１０ａに本体カバー部１２０ａを取り付け、直管形ランプ２００をランプソケット１１２ａに装着した状態を示す斜視図。
【図１９】ホルダ部１５２をホルダ本体１５１に取り付けた状態の照明装置５００ａにおける図１４のＣ−Ｃ断面図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１０】
実施の形態１．
＊＊＊構成の説明＊＊＊
図１は、本実施の形態に係る照明装置５００を示す斜視図である。
図２は、図１の照明装置５００の分解斜視図である。
図３は、図２の照明装置５００の分解斜視図である。
図１から図３を用いて、本実施の形態に係る照明装置５００の構成について説明する。
【００１１】
照明装置５００は、例えば、非常用照明装置である。
照明装置５００は、照明器具１００と、この照明器具１００に取り付けられる直管形ランプ２００とを有する。
直管形ランプ２００は、具体的には、直管形ＬＥＤランプである。
【００１２】
図１から図３に示すように、照明器具１００は、本体フレーム部１１０と、この本体フレーム部１１０に取り付けられる本体カバー部１２０と、この本体カバー部１２０に取り付けられるランプホルダ１３０とを有する。
本体フレーム部１１０は、器具本体のうちのフレームの部分である。
また、本体カバー部１２０は、器具本体のうちの反射板及び化粧カバーの部分である。
本体カバー部と本体フレーム部とを合わせて器具本体ともいう。
【００１３】
＜本体フレーム部１１０＞
図２及び図３に示すように、本体フレーム部１１０は、長尺状のフレーム部１１１と、このフレーム部１１１の長手方向の両端に設けられたカバー取付部１１７と、カバー取付部１１７から照射側に突き出して設けられたランプソケット１１２とを備える。
また、本体フレーム部１１０は、常用時に直管形ランプ２００に電力を供給する常用電源ユニット１１３と、非常時に直管形ランプ２００に電力を供給する非常用電源ユニット１１４とが配置される。また、本体フレーム部１１０は、フレーム部１１１に取り付けられるバッテリ１１５、引き紐スイッチ１１６を備える。
【００１４】
ランプソケット１１２には、直管形ランプ２００が装着される。直管形ランプ２００は、長手方向の両端部に口金２０１を有する。ランプソケット１１２には、直管形ランプ２００の口金２０１を装着する。
カバー取付部１１７には、摘みネジ１２０２等の固定部材を用いて本体カバー部１２０を固定するための固定穴が形成される。
【００１５】
常用電源ユニット１１３は、停電などの災害がない常用時に、直管形ランプ２００を点灯させる。常用電源ユニット１１３は、常用時に、商用電源からの電力を変換してランプソケット１１２を介して直管形ランプ２００に電力を供給する。なお、常用電源ユニット１１３と直管形ランプ２００への結線ルートは、非常用電源ユニット１１４を介する場合と介さない場合の２通りがあり、この実施の形態では、非常用電源ユニット１１４を介するものである。
【００１６】
非常用電源ユニット１１４は、停電などの災害が発生した非常時に、直管形ランプ２００を点灯させる。非常用電源ユニット１１４は、非常時に、バッテリ１１５の電力によって動作し、ランプソケット１１２を介して直管形ランプ２００に電力を供給する。
【００１７】
引き紐スイッチ１１６は、引き紐が引っ張られたときに、商用電源の供給を遮断して、疑似的に停電状態を模擬する。この疑似的な停電状態は、バッテリ１１５が寿命であるか否かを確認するものであり、引き紐が引っ張られたときに、バッテリ１１５からの電力で所定時間、直管形ランプ２００を点灯させることができるかを確認する。なお、引き紐スイッチ１１６は、プッシュスイッチなどであってもよい。また、引き紐スイッチ１１６によってバッテリ１１５の寿命があるか否かを確認できればよいので、疑似的な停電状態とする際に、直接的に商用電源を遮断するようにしてもよいし、一部の回路動作を停止させるようにしてもよい。
【００１８】
＜本体カバー部１２０＞
本体カバー部１２０は、長手方向に延びた略台形柱形状である。本体カバー部１２０は、台形の下辺側が長手方向に開口しており、フレーム部１１１を覆って本体フレーム部１１０に取り付けられる。
本体カバー部１２０は、フレーム部１１１を覆った状態で、摘みネジ１２０２によりカバー取付部１１７に固定される。
本体カバー部１２０は、フレーム部１１１に取り付けられた常用電源ユニット１１３、非常用電源ユニット１１４、バッテリ１１５などを覆って、照明器具１００の意匠性を高める。
【００１９】
本体カバー部１２０は、台形形状の上辺側に長手方向に延びたランプ対向部１２１を有する。
本体カバー部１２０のランプ対向部１２１の長手方向の両側の端部には、ランプソケット１１２を貫通させる貫通孔１２０１が形成される。
本体カバー部１２０は、ランプソケット１１２を貫通孔１２０１に貫通させた状態でフレーム部１１１を覆い、摘みネジ１２０２によりカバー取付部１１７に固定される。
また、本体カバー部１２０は、外表面を高反射材で塗装することにより、直管形ランプ２００が発する光を反射する機能を有する。
【００２０】
＜ランプホルダ１３０＞
ランプホルダ１３０は、直管形ランプ２００が装着される照明器具１００であって直管形ランプ２００に対向したランプ対向部１２１を備えた照明器具１００に取り付けられる。
ランプホルダ１３０は、本体カバー部１２０に取り付けられるホルダ本体１３１と、このホルダ本体１３１に取り付けられるホルダ部１３２と、ホルダ本体１３１をランプ対向部１２１に固定する固定部材である第１固定部材１３１１と、ホルダ部１３２をホルダ本体１３１に固定する固定部材である第２固定部材１３３とを有する。
【００２１】
ホルダ部１３２は、Ｕ字形状に形成され、直管形ランプ２００の端部の周囲の一部を囲む。
ホルダ本体１３１は、ランプ対向部１２１に取り付けられた状態でホルダ部１３２のＵ字形状の両側の端部を取り付ける。
第１固定部材１３１１は、ホルダ本体１３１をランプ対向部１２１に固定する。第１固定部材１３１１は、具体的には、リベットである。
第２固定部材１３３は、ホルダ部１３２のＵ字形状の両側の端部の各々をホルダ本体１３１に固定する。第２固定部材１３３は、具体的には、ネジである。
【００２２】
図４は、本実施の形態に係るホルダ本体１３１を示す斜視図である。
図５は、図４のホルダ本体１３１を示す３面図である。図５において、（ａ）はホルダ本体１３１の平面図、（ｂ）は（ａ）のＡ−Ａ断面図、（ｃ）はホルダ本体１３１の側面図である。
図４及び図５に示すように、ホルダ本体１３１は、長形の平板をコ字状に折り曲げて形成される。
【００２３】
ホルダ本体１３１は、本体カバー部１２０のランプ対向部１２１に接する取付接部１３１２と、この取付接部１３１２から、直管形ランプ２００の両側であって直管形ランプ２００の中心軸を挟んだ両側の各々に立ち上がった立上げ部１３１３とを備える。立上げ部１３１３は、取付接部１３１２の端部が折り曲げられて形成される。
図２の状態では、取付接部１３１２は、第１固定部材１３１１によりランプ対向部１２１に固定された状態である。
【００２４】
取付接部１３１２には、リベットなどの第１固定部材１３１１を通過させる取付孔１３１５が形成される。
図２及び図３に示すように、取付接部１３１２は、本体カバー部１２０のランプ対向部１２１の短手方向に沿って配置される。取付接部１３１２は、第１固定部材１３１１などの固定部材によりランプ対向部１２１に締結される。
立上げ部１３１３には、ネジ穴である締結穴１３１４が形成される。立上げ部１３１３には、ホルダ部１３２をホルダ本体１３１に固定するためのネジなどの第２固定部材１３３が螺合される。
【００２５】
図６は、本実施の形態に係るホルダ部１３２を示す３面図及び斜視図である。図６において、（ａ）は（ｂ）のＢ−Ｂ断面図、（ｂ）はホルダ部１３２の正面図、（ｃ）はホルダ部１３２の側面図、（ｄ）はホルダ部１３２の斜視図である。
図６の（ｂ）では、ホルダ部１３２がホルダ本体１３１に取り付けられた場合におけるランプソケット１１２の位置を２点鎖線で示している。
【００２６】
図６に示すように、ホルダ部１３２は、Ｕ字形状に折り曲げられて形成される。
図１では、ホルダ部１３２のＵ字形状の両側の端部１３２５の各々は、第２固定部材１３３により立上げ部１３１３に固定された状態である。
【００２７】
第２固定部材１３３は、具体的には、ネジである。第２固定部材１３３は、工具を用いて固定が行われる部材を適用することが好ましい。すなわち、第２固定部材１３３は、引掛け構造などのように、工具を用いずに固定及び固定の解除ができる構成ではなく、ネジやリベットなどのように工具を用いる部材であることが好ましい。
【００２８】
ホルダ部１３２は、Ｕ字形状の両側の端部１３２５に、ネジなどの第２固定部材１３３を挿通させる穴が形成される。ホルダ部１３２のＵ字形状の一方の端部には円形穴１３２１が形成され、ホルダ部１３２のＵ字形状の他方の端部には長円穴１３２２が形成される。
円形穴１３２１及び長円穴１３２２は、それぞれがホルダ本体１３１の締結穴１３１４と連通し、連通した部分に第２固定部材１３３が螺合することにより、ホルダ部１３２がホルダ本体１３１に固定される。
【００２９】
＊＊＊取り付け工程の説明＊＊＊
次に、照明装置５００における取り付け工程（１）から（４）について、図７から図１１を用いて説明する。
【００３０】
＜工程（１）＞
図７は、本実施の形態におけるホルダ本体１３１を本体カバー部１２０に取り付ける工程を示す斜視図である。
図８は、本体カバー部１２０にホルダ本体１３１を取り付けた状態を示す正面図及び側面図である。
まず、ホルダ本体１３１を第１固定部材１３１１により本体カバー部１２０に締結する。
図７に示すように、ランプ対向部１２１には、貫通孔１２０１のランプ対向部１２１の中央側に、ホルダ本体１３１を取り付けるホルダ取付孔１２０３が形成される。第１固定部材１３１１は、ホルダ本体１３１の取付孔１３１５と、ランプ対向部１２１のホルダ取付孔１２０３とを貫通し、ホルダ本体１３１をランプ対向部１２１に固定する。
【００３１】
ホルダ本体１３１は、ランプ対向部１２１の長手方向の端部に、取付接部１３１２がランプ対向部の短手方向に沿うように取り付けられる。
図７及び図８に示すように、ホルダ本体１３１は、ランプソケット１１２を貫通させる貫通孔１２０１の近傍に取り付けられる。本実施の形態では、ホルダ本体１３１の取付接部１３１２が長方形の貫通孔１２０１におけるランプ対向部１２１中央側の長辺に沿うように取り付けられる。
【００３２】
ホルダ本体１３１を器具本体の本体カバー部１２０に取り付ける工程は、製造工場で行ってもよいし、照明器具１００を天井などの被取付材に取り付ける作業者が行ってもよい。
なお、上述したように、第２固定部材１３３は工具を用いて固定が行われる部材を適用することが好ましい。しかし、第１固定部材１３１１は必ずしも工具を用いて固定する部材でなくても構わない。
【００３３】
＜工程（２）＞
次に、天井などの被取付材に取り付けられた本体フレーム部１１０に本体カバー部１２０を取り付け、摘みネジ１２０２で固定する。
【００３４】
＜工程（３）＞
そして、直管形ランプ２００の口金２０１をランプソケット１１２に装着する。
図９は、本体フレーム部１１０に本体カバー部１２０を取り付け、直管形ランプ２００をランプソケット１１２に装着した状態を示す斜視図である。
図９に示すように、直管形ランプ２００がランプソケット１１２に装着された状態において、ホルダ本体１３１の両側の立上げ部１３１３は、直管形ランプ２００の外側に位置する。
【００３５】
＜工程（４）＞
その後、ホルダ部１３２をホルダ本体１３１に第２固定部材１３３により取り付ける。このとき、作業者は、工具を用いて、第２固定部材１３３によりホルダ部１３２をホルダ本体１３１に固定する。
図１０は、ホルダ部１３２をホルダ本体１３１に取り付ける工程を示す斜視図である。
また、図１１は、ホルダ部１３２をホルダ本体１３１に取り付けた状態の照明装置５００における図８のＣ−Ｃ断面図である。
図９及び図１０に示すように、ホルダ本体１３１の立上げ部１３１３の外側面とホルダ部１３２の端部の内側面とを当接させ、円形穴１３２１及び長円穴１３２２の各々がホルダ本体１３１の締結穴１３１４と連通するように、ホルダ部１３２を配置する。円形穴１３２１あるいは長円穴１３２２と連通した締結穴１３１４に第２固定部材１３３を螺合させて、ホルダ部１３２をホルダ本体１３１に固定する。なお、ホルダ本体１３１の一方側を長円穴１３２２とすることで円形穴１３２１との軸がわずかにズレても第２固定部材１３３により締結させることができる。
図１１に示すように、ホルダ部１３２は、照明装置５００の長手方向側面視において、ランプソケット１１２の外側に位置する。図１０に示すように、ホルダ部１３２は、ランプソケット１１２に装着されている口金２０１の少なくとも一部を覆っている。すなわち、ホルダ部１３２は、口金２０１の一部を覆った状態でランプソケット１１２に隣接して配置されている。
【００３６】
＊＊＊本実施の形態に係る効果の説明＊＊＊
以上のように、本実施の形態に係るランプホルダ１３０は、第２固定部材１３３でホルダ部１３２をホルダ本体１３１に固定する。よって、工具なしでは、直管形ランプ２００を外すことができなくなる。したがって、直管形ランプ２００の交換は、指定業者などが行うようになるので、適用ランプ以外の直管形ランプ２００が取り付けられることはない。
したがって、本実施の形態に係るランプホルダ１３０によれば、専用の口金及びソケットなどを用いることなく、適用ランプ以外のランプを非常灯照明器具に装着してしまうことを防止しつつ、適用ランプを非常灯照明器具に装着することができる。
【００３７】
また、本実施の形態に係るランプホルダ１３０は、ホルダ本体１３１はランプソケット１１２の近傍に隣接して取り付けられる。直管形ランプ２００の口金部分は、樹脂製であることが多いので、火災などの影響で直管形ランプ２００の口金部分が溶ける場合がある。しかし、上述したようにホルダ部１３２は口金部分の少なくとも一部を覆っているので、ホルダ本体１３１及びホルダ部１３２を金属などの不燃材により形成することにより、溶けた口金部分が床などに垂れることを防止することができる。
【００３８】
また、本実施の形態に係るランプホルダ１３０は、ホルダ部１３２の両端にそれぞれ円形穴１３２１と長円穴１３２２とを有する。よって、ホルダ部１３２をホルダ本体１３１に取り付ける際、円形穴１３２１と長円穴１３２２とのそれぞれと連通する締結穴１３１４の中心軸がずれていても、第２固定部材１３３を容易に取り付けることができる。
【００３９】
＊＊＊他の構成＊＊＊
本実施の形態では、ホルダ部１３２の一方の端部に円形穴１３２１を形成し、他方の端部に長円穴１３２２を形成したが、ホルダ部１３２の両方の端部に長円穴を形成してもよい。
また、本実施の形態では、ホルダ本体１３１を本体カバー部１２０に固定する第１固定部材１３１１をリベットとしたが、ネジでも構わない。あるいは、嵌め込み構造や引掛け構造などのように工具を用いずに取り付ける構成でも構わない。
なお、上述したように、第２固定部材１３３は工具を用いて固定が行われる部材を適用する。ホルダ本体１３１とホルダ部１３２との固定は、工具を必要とする固定方法であればネジでなくてもリベットやその他の方法でも構わない。
【００４０】
実施の形態２．
本実施の形態では、主に、実施の形態１と異なる点について説明する。
本実施の形態では、実施の形態１で説明したランプホルダ１３０とは異なる形状のランプホルダ１５０について説明する。
本実施の形態に係るランプホルダ１５０は、実施の形態１で説明した照明器具１００とは異なる形状の照明器具１００ａに用いられる。
【００４１】
＊＊＊構成の説明＊＊＊
本実施の形態において、実施の形態１と同様の構成及び機能については説明を省略し、主に実施の形態１と異なるランプホルダ１５０の詳細について説明する。なお、実施の形態１で用いた符号に添え字ａを付した構成は、実施の形態１の同一符号の構成に相当する構成であることを意味する。
【００４２】
図１２から図１６を用いて、照明器具１００ａ及びランプホルダ１５０について説明する。
図１２は、本実施の形態に係る照明装置５００ａを示す斜視図である。
図１３は、図１２の照明装置５００ａの分解斜視図である。
図１４は、本実施の形態に係る本体カバー部１２０ａを示す図であり、（ａ）は側面図、（ｂ）は本体フレーム部１１０の側、すなわち天井などの被取付材の側から見た平面図である。
図１２に示すように、照明装置５００ａは、照明器具１００ａと、照明器具１００ａに取り付けられる２本の直管形ランプ２００と備える。
【００４３】
＜本体フレーム部１１０ａ及び本体カバー部１２０ａ＞
図１２及び図１３に示すように、照明器具１００ａは、本体フレーム部１１０ａと、この本体フレーム部１１０ａに取り付けられる本体カバー部１２０ａと、この本体カバー部１２０ａに取り付けられるランプホルダ１５０とを有する。
実施の形態１と同様に、本体フレーム部１１０ａは、器具本体のうちのフレームの部分である。また、本体カバー部１２０ａは、器具本体のうちの反射板及び化粧カバーの部分である。
【００４４】
図１２及び図１３に示すように、本体フレーム部１１０ａはフレーム部１１１ａを有し、フレーム部１１１ａには２本の直管形ランプ２００を装着する一対のランプソケット１１２ａを２つ備える。すなわち、本体フレーム部１１０は、４つのランプソケット１１２ａを備える。
【００４５】
本体カバー部１２０ａは、長手方向に延びた略三角柱形状である。本体カバー部１２０ａは、三角形状の底辺側が長手方向に開口しており、本体フレーム部１１０ａのフレーム部１１１ａを覆うように、本体フレーム部１１０ａに取り付けられる。本体カバー部１２０ａは、フレーム部１１１ａに取り付けられた常用電源ユニット１１３、非常用電源ユニット１１４、バッテリ１１５などを覆って、照明器具１００の意匠性を高める。
本体カバー部１２０ａは、ランプソケット１１２ａを貫通させる貫通孔１２０１ａを備える。
【００４６】
本体カバー部１２０ａの三角柱形状において、直管形ランプ２００が取り付けられる２面のうちランプホルダ１５０を取り付ける面をランプ対向部１２１ａとする。本体カバー部１２０ａは、ランプ対向部１２１ａの長手方向の両端部近傍に、貫通孔１２０１ａが形成される。
また、本体カバー部１２０ａは、外表面を高反射材で塗装することにより、直管形ランプ２００が発する光を反射する機能を有する。
【００４７】
図１２から図１４に示すように、本実施の形態では、ランプホルダ１５０は２本の直管形ランプ２００のうちの一方のランプに取り付ける構成となっている。しかし、ランプホルダ１５０を２本の直管形ランプ２００の両方に取り付けても構わない。
【００４８】
ランプ対向部１２１ａには、ホルダ部１５２の位置決めのための位置決め孔１４１が形成される（図１７，１８参照）。位置決め孔１４１には、ランプソケット１１２ａが貫通する貫通孔１２０１ａ近傍、つまりランプホルダ１５０が取り付けられる部分に形成され、後述するランプホルダ１５０の位置決めを行う位置決め凸部１５２３が挿入される（図１７，１８参照）。ランプホルダ１５０の配置位置は、実施の形態１と同様であり、本体カバー部１２０のランプ対向部１２１ａの長手方向の両端部に配置される。
【００４９】
＜ランプホルダ１５０＞
図１３及び図１６の（ａ）（ｂ）（ｃ）に示すように、ランプホルダ１５０は、平板状かつ長尺状のホルダ本体１５１と、このホルダ本体１５１に締結具である第２固定部材１５３により取り付けられるホルダ部１５２とを有する。第２固定部材１５３は、具体的には、ネジである。
図１５は、本実施の形態に係るホルダ部１５２を示す３面図及び斜視図である。図１５において、（ａ）はホルダ部１５２の平面図、（ｂ）はホルダ部１５２の側面図、（ｃ）はホルダ部１５２の正面図、（ｄ）はホルダ部１５２の斜視図である。
図１６は、本実施の形態に係るホルダ本体１５１を示す図であり、（ａ）はホルダ本体１５１の平面図、（ｂ）はホルダ本体１５１の側面図、（ｃ）はホルダ本体１５１の斜視図である。
【００５０】
図１５に示すように、ホルダ部１５２は、Ｕ字形状の両側の端部１５２５の各々からＵ字形状の外側に突き出す固定部１５２６を備える。すなわち、ホルダ部１５２は、Ｕ字状に形成される保持部１５２１と、この保持部１５２１の両側の端部１５２５から外方に折り曲げられて形成される固定部１５２６とを備える。固定部１５２６は、第１固定部１５２２１及び第２固定部１５２２２を有する。また、ホルダ部１５２は、両側の端部１５２５のうち一方の端部と固定部１５２６との境に、ランプ対向部１２１ａに設けられた位置決め孔１４１に挿入される位置決め凸部１５２３を備える。位置決め凸部１５２３は、保持部１５２１と第２固定部１５２２２との境界部分の折り曲げ部分から突出する。
【００５１】
固定部１５２６には、第２固定部材１５３を貫通させる切り欠き１７２が形成される。第１固定部１５２２１及び第２固定部１５２２２のうち、一方側には円形穴１７１が形成され、他方側には切り欠き１７２が形成される。ここでは、第１固定部１５２２１に円形穴１７１が形成され、第２固定部１５２２２に切り欠き１７２が形成される。この切り欠き１７２は、第２固定部１５２２２の端部側から切りこまれた溝部である。
【００５２】
図１３及び図１６の（ａ）（ｂ）（ｃ）に示すように、ホルダ本体１５１は、長尺の平板状である。ホルダ本体１５１は、ランプ対向部１２１ａに接する取付接部１５１５を備える。取付接部１５１５は、ランプ対向部１２１ａのホルダ部１５２の側と反対の面に取り付けられる。すなわち、ホルダ本体１５１は、本体カバー部１２０ａの内側に第１固定部材１５１１により取り付けられる。
ホルダ本体１５１には、第１固定部材１５１１を通過させる一対の取付孔１５１３が形成される。また、ホルダ本体１５１には、一対の取付孔１５１３の外側に、ホルダ部１５２を固定するための一対のネジ穴１５１２が形成される。
図１６の（ｄ）に示すように、ホルダ本体１５１は、長尺方向をランプ対向部１２１ａの短手方向に沿わせて、本体カバー部１２０ａの内側に取り付けられる。
【００５３】
＊＊＊取り付け工程の説明＊＊＊
次に、照明装置５００ａにおける取り付け工程（１ａ）から（４ａ）について、図１７から図１９を用いて説明する。
【００５４】
＜工程（１ａ）＞
まず、ホルダ本体１５１を第１固定部材１５１１により本体カバー部１２０ａに締結する。
図１６の（ｄ）は、本実施の形態におけるホルダ本体１５１を本体カバー部１２０に取り付ける工程を示す斜視図である。
第１固定部材１５１１は、ホルダ本体１５１の取付孔１５１３と、ランプ対向部１２１ａに形成された取付孔１４３とを貫通して、ランプ対向部１２１ａにホルダ本体１５１を固定する。
ホルダ本体１５１は、ランプ対向部１２１ａの裏面の長手方向の端部に、ランプ対向部１２１ａの短手方向に沿うように取り付けられる。
ホルダ本体１５１は、ランプソケット１１２ａを貫通させる貫通孔１２０１ａの近傍に取り付けられる。本実施の形態では、ホルダ本体１５１が長方形の貫通孔１２０１ａにおけるランプ対向部１２１ａ中央側の長辺に沿うように、ランプソケット１１２ａに隣接して取り付けられる。
【００５５】
ホルダ本体１５１を器具本体の本体カバー部１２０ａに取り付ける工程は、製造工場で行ってもよいし、照明器具１００ａを天井などの被取付材に取り付ける作業者が行ってもよい。
【００５６】
＜工程（２ａ）＞
次に、天井などの被取付材に取り付けられた本体フレーム部１１０ａに本体カバー部１２０ａを取り付け、クイックラッチ１２０２ａなどで固定する。
【００５７】
＜工程（３ａ）＞
そして、直管形ランプ２００をランプソケット１１２ａに装着する。
図１７及び図１８は、本体フレーム部１１０ａに本体カバー部１２０ａを取り付け、直管形ランプ２００をランプソケット１１２ａに装着した状態を示す斜視図である。
図１７及び図１８において、ランプ対向部１２１ａの裏面に固定されているホルダ本体１５１は点線で示している。図１７及び図１８では、取付接部１５１５が、リベットなどの第１固定部材１５１１によりランプ対向部１２１ａに固定された状態を示している。
【００５８】
図１７及び図１８に示すように、直管形ランプ２００がランプソケット１１２ａに装着された状態において、ホルダ本体１５１のネジ穴１５１２と連通する本体ネジ穴１４２は、直管形ランプ２００の外側に位置する。また、一対の本体ネジ穴１４２の内側で、かつ、直管形ランプ２００の外側に、ホルダ部１５２の位置決め凸部１５２３を挿入させる位置決め孔１４１が位置する。
【００５９】
＜工程（４ａ）＞
その後、ホルダ部１５２とホルダ本体１５１とでランプ対向部１２１ａを挟んだ状態でホルダ部１５２をホルダ本体１５１に第２固定部材１５３により取り付ける。
図１９は、ホルダ部１５２をホルダ本体１５１に取り付けた状態の照明装置５００ａにおける図１４のＤ−Ｄ断面図である。
図１９に示すように、ホルダ本体１５１の固定部１５２６とランプ対向部１２１ａとを当接させ、円形穴１７１及び切り欠き１７２の各々がランプ対向部１２１ａの本体ネジ穴１４２及びホルダ本体１５１のネジ穴１５１２と連通するように、ホルダ部１５２を配置する。連通した部分に第２固定部材１５３を挿入し、ネジ穴１５１２と螺合させることにより、ホルダ部１５２をホルダ本体１５１に固定する。
図１９は、固定部１５２６が第２固定部材１５３により取付接部１５１５に固定された状態である。ネジ穴１５１２と切り欠き１７２とを貫通した第２固定部材１５３と、ネジ穴１５１２と円形穴１７１とを貫通した第２固定部材１５３との２つの第２固定部材１５３により、ホルダ部１５２はホルダ本体１５１に固定される。
図１９に示すように、ホルダ部１５２は、照明装置５００ａの長手方向側面視において、ランプソケット１１２ａの外側に位置するように取り付けられる。
【００６０】
＊＊＊本実施の形態に係る効果の説明＊＊＊
以上のように、本実施の形態に係るランプホルダ１５０は、ネジなどの第２固定部材１５３でホルダ部１５２をホルダ本体１５１に固定する。よって、工具なしでは、直管形ランプ２００を外すことができなくなる。したがって、直管形ランプ２００の交換は、指定業者などが行うようになるので、適用ランプ以外の直管形ランプ２００が取り付けられることはない。
【００６１】
また、本実施の形態に係るランプホルダ１５０は、ホルダ本体１５１はランプソケット１１２ａの近傍に隣接して取り付けられる。直管形ランプ２００の口金部分は、樹脂製であることが多いので、火災などの影響で直管形ランプ２００の口金部分が溶ける場合がある。しかし、上述したようにホルダ部１５２は口金部分の少なくとも一部を覆っているので、ホルダ本体１５１及びホルダ部１５２を金属などの不燃材により形成することにより、溶けた口金部分が床などに垂れることを防止することができる。
【００６２】
また、ホルダ部１５２をホルダ本体１５１に第２固定部材１５３で締結した際、ホルダ部１５２とホルダ本体１５１とで本体カバー部１２０ａを挟みこむ。よって、ランプホルダ１５０が本体カバー部１２０ａから脱落し難いように、強固に固定される。
【００６３】
また、ホルダ部１５２の固定部１５２６に、円形穴１７１と切り欠き１７２とを有するので、ホルダ部１５２をホルダ本体１５１に取り付ける際、円形穴１７１と切り欠き１７２との各々とホルダ本体１５１のネジ穴１５１２との中心軸がずれていても、ネジなどの第２固定部材１５３を取り付けることができる。
【００６４】
以上、本発明の実施の形態１，２について説明したが、これらの実施の形態のうち、２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【００６５】
１００，１００ａ  照明器具、１１０，１１０ａ  本体フレーム部、１１１，１１１ａ  フレーム部、１１２，１１２ａ  ランプソケット、１１３  常用電源ユニット、１１４  非常用電源ユニット、１１５  バッテリ、１１６  引き紐スイッチ、１１７  カバー取付部、１２０，１２０ａ  本体カバー部、１２１，１２１ａ  ランプ対向部、１２０１，１２０１ａ  貫通孔、１２０２  摘みネジ、１２０２ａ  クイックラッチ、１２０３  ホルダ取付孔、１３０  ランプホルダ、１３１  ホルダ本体、１３１２  取付接部、１３１３  立上げ部、１３１１  第１固定部材、１３１４  締結穴、１３１５  取付孔、１３２  ホルダ部、１３２１  円形穴、１３２２  長円穴、１３２５  両側の端部、１４１  位置決め孔、１４２  本体ネジ穴、１４３  取付孔、１３３  第２固定部材、１５０  ランプホルダ、１５１  ホルダ本体、１５１１  第１固定部材、１５２３  位置決め凸部、１５１２  ネジ穴、１５１３  取付孔、１５１５  取付接部、１５２  ホルダ部、１５２１  保持部、１５２５  両側の端部、１５２２，１５２６  固定部、１５２２１  第１固定部、１５２２２  第２固定部、１５２３  位置決め凸部、１５３  第２固定部材、１７１  円形穴、１７２  切り欠き、２００  直管形ランプ、２０１  口金、５００，５００ａ  照明装置。
【図１】
0006584224.tif 000002
【図２】
0006584224.tif 000003
【図３】
0006584224.tif 000004
【図４】
0006584224.tif 000005
【図５】
0006584224.tif 000006
【図６】
0006584224.tif 000007
【図７】
0006584224.tif 000008
【図８】
0006584224.tif 000009
【図９】
0006584224.tif 000010
【図１０】
0006584224.tif 000011
【図１１】
0006584224.tif 000012
【図１２】
0006584224.tif 000013
【図１３】
0006584224.tif 000014
【図１４】
0006584224.tif 000015
【図１５】
0006584224.tif 000016
【図１６】
0006584224.tif 000017
【図１７】
0006584224.tif 000018
【図１８】
0006584224.tif 000019
【図１９】
0006584224.tif 000020